(57)【特許請求の範囲】
【請求項１】
移動通信装置が第１の位置登録エリアに移動した際に前記移動通信装置から送信される位置登録要求信号と、前記移動通信装置が第１の位置登録エリアから第２の位置登録エリアへ移動した際に、前記移動通信装置の位置登録エリアが更新されたことを示す更新信号とを受信する通信部と、
前記位置登録要求信号と前記更新信号とを受信したタイミングの差分に基づいて前記移動通信装置が前記第１の位置登録エリアに在圏した在圏時間を算出する在圏時間算出部と、
前記在圏時間算出部において算出される、複数の前記移動通信装置それぞれの前記第１の位置登録エリアへの前記在圏時間を収集し、前記収集した前記複数の移動通信装置の在圏時間を用いて統計情報を生成する統計情報生成部とを備え、
前記統計情報生成部は、
前記複数の移動通信装置を前記在圏時間に応じて複数のグループに分類して前記統計情報を生成する、在圏時間管理装置。
【請求項２】
前記在圏時間算出部は、
前記通信部において、前記位置登録要求信号を受信した時刻情報と、前記更新信号を受信した時刻情報とに基づいて、前記移動通信装置が前記第１の位置登録エリアに在圏した在圏時間を算出する、請求項１に記載の在圏時間管理装置。
【請求項３】
前記統計情報生成部は、
前記複数の移動通信装置を、前記在圏時間が第１の閾値未満である第１のグループと、前記在圏時間が第１の閾値よりも大きい第２のグループとに分類して前記統計情報を生成する、請求項１に記載の在圏時間管理装置。
【請求項４】
移動通信装置が第１の位置登録エリアに移動した際に前記移動通信装置から送信される位置登録要求信号と、前記移動通信装置が第１の位置登録エリアから第２の位置登録エリアへ移動した際に、前記移動通信装置の位置登録エリアが更新されたことを示す更新信号とを受信する通信部と、
前記位置登録要求信号と前記更新信号とを受信したタイミングの差分に基づいて前記移動通信装置が前記第１の位置登録エリアに在圏した在圏時間を算出する在圏時間算出部と、
前記移動通信装置の位置情報を含む加入者情報を管理するデータベースと、
前記在圏時間算出部において算出される、複数の前記移動通信装置それぞれの前記第１の位置登録エリアへの前記在圏時間を収集し、前記収集した前記複数の移動通信装置の在圏時間を用いて統計情報を生成する統計情報生成部とを備え、
前記統計情報生成部は、
前記複数の移動通信装置を前記在圏時間に応じて複数のグループに分類して前記統計情報を生成する、位置登録処理装置。
【請求項５】
基地局と、移動通信装置の位置情報を管理する位置登録処理装置との間に配置される中継装置であって、
前記基地局が形成するセルエリア内に在圏する移動通信装置の位置情報を管理するデータベースと、
前記移動通信装置が前記セルエリアを含む第１の位置登録エリアに移動した際に前記移動通信装置から送信される位置登録要求信号と、前記移動通信装置が第１の位置登録エリアから第２の位置登録エリアへ移動した際に、前記移動通信装置の位置登録エリアが更新されたことを示す更新信号とを受信する通信部と、
前記位置登録要求信号と前記更新信号とを受信したタイミングの差分に基づいて前記移動通信装置が前記第１の位置登録エリアに在圏した在圏時間を算出する在圏時間算出部と、
前記在圏時間算出部において算出される、複数の前記移動通信装置それぞれの前記第１の位置登録エリアへの前記在圏時間を収集し、前記収集した前記複数の移動通信装置の在圏時間を用いて統計情報を生成する統計情報生成部とを備え、
前記統計情報生成部は、
前記複数の移動通信装置を前記在圏時間に応じて複数のグループに分類して前記統計情報を生成する、中継装置。
【請求項６】
基地局と、
移動通信装置の位置情報を管理する位置登録処理装置と、
前記移動通信装置が位置登録エリアに在圏する時間を算出する在圏時間算出手段と、を備える移動通信システムであって、
前記在圏時間算出手段は、
前記移動通信装置が第１の位置登録エリアに移動した際に前記移動通信装置から送信される位置登録要求信号と、前記移動通信装置が第１の位置登録エリアから第２の位置登録エリアへ移動した際に、前記移動通信装置の位置登録エリアが更新されたことを示す更新信号とを受信する通信部と、
前記位置登録要求信号と前記更新信号とを受信したタイミングの差分に基づいて前記移動通信装置が前記第１の位置登録エリアに在圏した在圏時間を算出する在圏時間算出部と、
前記在圏時間算出部において算出される、複数の前記移動通信装置それぞれの前記第１の位置登録エリアへの前記在圏時間を収集し、前記収集した前記複数の移動通信装置の在圏時間を用いて統計情報を生成する統計情報生成部とを備え、
前記統計情報生成部は、
前記複数の移動通信装置を前記在圏時間に応じて複数のグループに分類して前記統計情報を生成する、移動通信システム。
【請求項７】
移動通信装置が第１の位置登録エリアに移動した際に前記移動通信装置から送信される位置登録要求信号と、前記移動通信装置が第１の位置登録エリアから第２の位置登録エリアへ移動した際に、前記移動通信装置の位置登録エリアが更新されたことを示す更新信号とを受信し、
前記位置登録要求信号と前記更新信号とを受信したタイミングの差分に基づいて前記移動通信装置が前記第１の位置登録エリアに在圏した在圏時間を算出し、
複数の前記移動通信装置それぞれの前記第１の位置登録エリアへの前記在圏時間を収集し、前記収集した前記複数の移動通信装置の在圏時間に応じて、前記複数の移動通信装置を複数のグループに分類して統計情報を生成する、在圏時間算出方法。
【請求項８】
移動通信装置が第１の位置登録エリアに移動した際に前記移動通信装置から送信される位置登録要求信号と、前記移動通信装置が第１の位置登録エリアから第２の位置登録エリアへ移動した際に、前記移動通信装置の位置登録エリアが更新されたことを示す更新信号とを受信するステップと、
前記位置登録要求信号と前記更新信号とを受信したタイミングの差分に基づいて前記移動通信装置が前記第１の位置登録エリアに在圏した在圏時間を算出するステップと、
複数の前記移動通信装置それぞれの前記第１の位置登録エリアへの前記在圏時間を収集し、前記収集した前記複数の移動通信装置の在圏時間に応じて、前記複数の移動通信装置を複数のグループに分類して統計情報を生成するステップとをコンピュータに実行させるプログラム。
【発明の詳細な説明】
【技術分野】
【０００１】
本発明は在圏時間管理装置に関し、特に移動通信装置が位置登録エリアに在圏する時間を算出する在圏時間管理装置に関する。
【背景技術】
【０００２】
移動体通信等における位置登録処理及び位置情報の管理は、予め位置登録のエリアが設定されており、端末が位置登録のエリアを移った際に端末がそれを検知し位置登録要求を行うという方式により実現されている。この際、単一の位置登録のエリアは複数の基地局で覆う領域としてもよいし、単一の基地局で覆う領域としてもよく、位置登録エリアの面積や面積に相当する半径は任意の広さとなる。
【０００３】
上述した位置登録の方式を用いた場合、一般的な関係として位置登録エリアの面積もしくは半径が小さくなるに従い、同一のユーザー数を管理するシステム全体の位置登録要求トラヒックが増大するという関係が存在する。例えば、システム全体の位置登録要求トラヒックは、位置登録エリアの半径に反比例して増加する。これは、位置登録エリアの面積もしくは半径が小さくなるに従い、同一の移動速度のユーザーであった場合、ユーザーが位置登録エリアに存在する時間が短くなり、頻繁に位置登録エリアを移ることを意味している。
【０００４】
移動体通信システムにおいて、Ｆｅｍｔｏセルの面積もしくは半径は非常に小さい。例えば、３ＧＰＰ（3rd Generation Partnership Project）の標準規格に基づいて設計されている３Ｇシステムにおいて用いられるマクロセルは、最小でも半径数ｋｍであるところ、Ｆｅｍｔｏセルの場合は半径１０ｍ〜２０ｍ程度となる。また、Ｆｅｍｔｏセルは、一般的に、マクロセル内に点在するように配置されている。さらに、Ｆｅｍｔｏセル用基地局の位置登録エリアは、カバーエリアのごく小さい単一基地局の覆う領域そのものとなる。なぜなら、Ｆｅｍｔｏセル用基地局は、ユーザーによって任意の場所に設置されることもある。そのため、移動通信事業者がエリア設計を行うことができないＦｅｍｔｏセル用基地局を管理する基地局制御装置と、移動通信事業者がエリア設計を行うマクロセルを管理する基地局制御装置とを異なる装置としている。位置登録エリアは、一般的に基地局制御装置毎に定まるため、Ｆｅｍｔｏセル用基地局の位置登録エリアは、単一基地局の覆う領域そのものとなる。
【０００５】
Ｆｅｍｔｏセル用の基地局がマクロセル内に点在した場合、端末を保持するユーザーの移動に伴い、位置登録エリアの変更が頻繁に発生し、上述の位置登録要求トラヒックの増大が顕著となる。このような位置登録要求トラヒックについては、例えば単にＦｅｍｔｏセル用基地局の位置登録エリアを通過していくだけの歩行者群による位置登録要求が考えられる。平均的な歩行速度（４．８ｋｍ／ｈ）ならば、Ｆｅｍｔｏセルの場合では単一の位置登録エリアに歩行者群が存在する時間は２０〜３０秒程度である。目的を持って当該の位置登録エリアに長時間滞在するようなユーザーの端末にくらべて、このような歩行者群のそれぞれのユーザーの端末が通話の発着信をはじめとした移動体サービスを利用する確率は低い。その結果、サービス利用の確率が低く、相対的に必要性が低いと考えられるユーザーの端末による位置登録要求のトラヒック、ならびにそれに伴う処理負荷が高くなり、実際にサービス利用の確率が高いユーザーの端末による位置登録要求を受け付けることができない事象が発生する可能性がある。そのため、移動通信システムの管理者等は、位置登録エリア内に移動してから短時間で位置登録エリア外へ移動するユーザーの端末数を把握し、ネットワーク設計を行う必要がある。
【０００６】
特許文献１には、移動通信端末が、基地局によって形成される無線ゾーン内に在圏した時間を算出して、算出した時間を移動通信システム内の処理装置へ送信する内容が記載されている。
【先行技術文献】
【特許文献】
【０００７】
【特許文献１】特開２０００−２３２３４号公報
【発明の概要】
【発明が解決しようとする課題】
【０００８】
しかし、特許文献１には、基地局によって形成される無線ゾーン内に在圏した在圏時間を算出することは記載されているが、具体的な在圏時間の算出方法について記載されていない。また、常に無線ゾーン内に在圏した在圏時間を算出することは、移動通信装置の処理負担が増加するという問題がある。さらに、小型化等により処理能力に制限のある移動通信端末において処理負担が増加すると、他の機能に影響を与える可能性があるという問題もある。
【０００９】
本発明は、このような問題を解決するために、処理負担の増加を抑制するとともに移動通信装置が同一の位置登録エリアに在圏する時間を算出することができる在圏時間管理装置、位置登録処理装置、中継装置、移動通信システム、在圏時間算出方法及びプログラムを提供することを目的とする。
【課題を解決するための手段】
【００１０】
本発明の第１の態様にかかる在圏時間管理装置は、移動通信装置が第１の位置登録エリアに移動した際に前記移動通信装置から送信される位置登録要求信号と、前記移動通信装置が第１の位置登録エリアから第２の位置登録エリアへ移動した際に、前記移動通信装置の位置登録エリアが更新されたことを示す更新信号とを受信する通信部と、前記位置登録要求信号と前記更新信号とを受信したタイミングの差分に基づいて前記移動通信装置が前記第１の位置登録エリアに在圏した在圏時間を算出する在圏時間算出部と、を備えるものである。
【００１１】
本発明の第２の態様にかかる位置登録処理装置は、移動通信装置が第１の位置登録エリアに移動した際に前記移動通信装置から送信される位置登録要求信号と、前記移動通信装置が第１の位置登録エリアから第２の位置登録エリアへ移動した際に、前記移動通信装置の位置登録エリアが更新されたことを示す更新信号とを受信する通信部と、前記位置登録要求信号と前記更新信号とを受信したタイミングの差分に基づいて前記移動通信装置が前記第１の位置登録エリアに在圏した在圏時間を算出する在圏時間算出部と、前記移動通信装置の位置情報を含む加入者情報を管理するデータベースと、を備えるものである。
【００１２】
本発明の第３の態様にかかる中継装置は、基地局と、移動通信装置の位置情報を管理する位置登録処理装置との間に配置される中継装置であって、前記基地局が形成するセルエリア内に在圏する移動通信装置の位置情報を管理するデータベースと、前記移動通信装置が前記セルエリアを含む第１の位置登録エリアに移動した際に前記移動通信装置から送信される位置登録要求信号と、前記移動通信装置が第１の位置登録エリアから第２の位置登録エリアへ移動した際に、前記移動通信装置の位置登録エリアが更新されたことを示す更新信号とを受信する通信部と、前記位置登録要求信号と前記更新信号とを受信したタイミングの差分に基づいて前記移動通信装置が前記第１の位置登録エリアに在圏した在圏時間を算出する在圏時間算出部と、を備えるものである。
【００１３】
本発明の第４の態様にかかる移動通信システムは、基地局と、移動通信装置の位置情報を管理する位置登録処理装置と、前記移動通信装置が位置登録エリアに在圏する時間を算出する在圏時間算出手段と、を備える移動通信システムであって、前記在圏時間算出手段は、前記移動通信装置が第１の位置登録エリアに移動した際に前記移動通信装置から送信される位置登録要求信号と、前記移動通信装置が第１の位置登録エリアから第２の位置登録エリアへ移動した際に、前記移動通信装置の位置登録エリアが更新されたことを示す更新信号とを受信する通信部と、前記位置登録要求信号と前記更新信号とを受信したタイミングの差分に基づいて前記移動通信装置が前記第１の位置登録エリアに在圏した在圏時間を算出する在圏時間算出部を有するものである。
【００１４】
本発明の第５の態様にかかる在圏時間算出方法は、移動通信装置が第１の位置登録エリアに移動した際に前記移動通信装置から送信される位置登録要求信号と、前記移動通信装置が第１の位置登録エリアから第２の位置登録エリアへ移動した際に、前記移動通信装置の位置登録エリアが更新されたことを示す更新信号とを受信し、前記位置登録要求信号と前記更新信号とを受信したタイミングの差分に基づいて前記移動通信装置が前記第１の位置登録エリアに在圏した在圏時間を算出するものである。
【００１５】
本発明の第６の態様にかかるプログラムは、移動通信装置が第１の位置登録エリアに移動した際に前記移動通信装置から送信される位置登録要求信号と、前記移動通信装置が第１の位置登録エリアから第２の位置登録エリアへ移動した際に、前記移動通信装置の位置登録エリアが更新されたことを示す更新信号とを受信するステップと、前記位置登録要求信号と前記更新信号とを受信したタイミングの差分に基づいて前記移動通信装置が前記第１の位置登録エリアに在圏した在圏時間を算出するステップとをコンピュータに実行させるものである。
【発明の効果】
【００１６】
本発明により、処理負担の増加を抑制するとともに移動通信装置が同一の位置登録エリアに在圏する時間を算出することができる在圏時間管理装置、位置登録処理装置、中継装置、移動通信システム、在圏時間算出方法及びプログラムを提供することができる。
【図面の簡単な説明】
【００１７】
【図１】実施の形態１にかかる在圏時間管理装置の構成図である。
【図２】実施の形態１にかかる移動通信システムの構成図である。
【図３】実施の形態１にかかる在圏時間管理装置の構成図である。
【図４】実施の形態１にかかる統計情報の内容を示す図である。
【図５】実施の形態１にかかる統計情報の生成処理の流れを示す図である。
【図６】実施の形態２にかかる移動通信システムの構成図である。
【図７】実施の形態３にかかる移動通信システムの構成図である。
【発明を実施するための形態】
【００１８】
（実施の形態１）
以下、図面を参照して本発明の実施の形態について説明する。図１を用いて本発明の実施の形態１にかかる在圏時間管理装置の構成例について説明する。在圏時間管理装置１０は、通信部１１と、在圏時間算出部１２とを備えている。
【００１９】
通信部１１は、移動通信装置２０が位置登録エリア３０に移動した際に移動通信装置２０から送信される位置登録要求信号と、移動通信装置２０が位置登録エリア３０から位置登録エリア３１へ移動した際に、移動通信装置２０の位置登録エリアが更新されたことを示す更新信号とを受信する。
【００２０】
移動通信装置２０は、携帯電話端末、スマートフォンもしくは通信機能を有するノートブック型パーソナルコンピュータ等であってもよい。つまり、移動通信装置２０は、通信機能を有し容易に持ち運びができる装置であればよい。移動通信装置２０は、任意の速度で移動する。また、本図においては移動通信装置２０を１台のみ記載しているが、移動通信システム内には、複数の移動通信装置が存在してもよい。
【００２１】
位置登録エリアは、基地局が構成する１つのセルエリアから構成されてもよく、複数のセルエリアから構成されてもよい。基地局としてＦｅｍｔｏセル用基地局が用いられている場合、基本的に位置登録エリアは、Ｆｅｍｔｏセル用基地局が構成する１つのセルエリアから構成される。
【００２２】
位置登録要求信号は、移動通信装置２０が新たな位置登録エリアに移動した際に、移動通信装置２０から移動通信装置の位置情報を管理する装置へ送信される。移動通信装置の位置情報を管理する装置は、例えば位置登録処理装置等と称されてもよい。その他に、位置登録要求信号は、移動通信装置の電源スイッチが押下された直後に送信されてもよく、基地局からの電波を受信できない圏外の状態から、基地局からの電波を受信することができる圏内の状態へ遷移した場合に送信されてもよい。
【００２３】
更新信号は、位置登録処理装置において管理されている移動通信装置の位置情報が、新たな位置情報に更新される際に位置登録処理装置へ通知される信号である。例えば、移動通信装置２０が位置登録エリア３０から位置登録エリア３１へ移動する場合における更新信号について説明する。この場合の更新信号は、位置登録処理装置において、移動通信装置２０に対応付けられている位置登録エリア３０を削除するための削除信号や、位置登録エリア３１を新たに登録するための位置登録要求信号等を含む。削除信号は、移動通信装置２０が位置登録エリア３０から位置登録エリア３１へ移動した直後もしくは、移動する直前に移動通信装置２０から位置登録処理装置へ送信される。もしくは、更新信号は、位置登録エリア３０を削除するとともに位置登録エリア３１を登録するために用いられる信号であってもよい。
【００２４】
在圏時間算出部１２は、位置登録要求信号と更新信号とを受信したタイミングの差分に基づいて移動通信装置２０が位置登録エリア３０に在圏した在圏時間を算出する。位置登録要求信号は、移動通信装置２０が位置登録エリア３０へ移動した際に送信される。さらに、削除信号及び位置登録エリア３１における位置登録要求信号は、移動通信装置２０が位置登録エリア３１へ移動した直後に送信される。そのため、在圏時間算出部１２は、位置登録要求信号と更新信号とを受信したタイミングの差分を算出することにより、移動通信装置２０が位置登録エリア３０に在圏していた在圏時間を算出することができる。
【００２５】
在圏時間算出部１２は、位置登録要求信号と更新信号とを受信したタイミングの差分を算出するために、通信部１１において位置登録要求信号及び更新信号を受信した時刻情報を用いてもよい。この場合、時刻情報は、在圏時間管理装置１０において管理されているタイマに基づいて定められる。もしくは、在圏時間算出部１２は、位置登録要求信号及び更新信号に設定されているタイムスタンプ等を用いてもよい。タイムスタンプは、例えば、移動通信装置２０が、位置登録要求信号を送信した時間が設定されてもよい。タイムスタンプとして設定される時間は、移動通信装置２０において管理されているタイマに基づいて定められる。また、位置登録要求信号及び更新信号が、移動通信装置２０とは異なる装置から位置登録処理装置へ送信される場合、タイムスタンプは、位置登録要求信号及び更新信号の送信元の装置において管理されているタイマに基づいて定められてもよい。
【００２６】
以上説明したように、図１における在圏時間管理装置１０を用いることにより、移動通信装置２０が一つの位置登録エリアに在圏している時間を算出することができる。在圏時間管理装置１０は、移動通信システムを構成するコアネットワーク等に配置される装置である。そのため、位置登録エリアに在圏した在圏時間を算出する処理を小型装置である移動通信装置において実行する場合と比較して、在圏時間管理装置１０における処理負担の増加は装置内の他の機能へ与える影響は少ない。さらに、ネットワーク管理者等は、移動通信装置２０の一つの位置登録エリアへの在圏時間を算出することにより得られた情報を用いてネットワーク設計を行うことができる。
【００２７】
続いて、図２を用いて本発明の実施の形態１にかかる移動通信システムの全体構成について説明する。本図における移動通信システムは、基地局５０〜５２と、位置登録処理装置６０とから構成されている。在圏時間管理装置１０は、位置登録処理装置６０に備えられている。さらに、基地局５０は、位置登録エリア３０を構成し、基地局５１は、位置登録エリア３１を構成し、基地局５２は、位置登録エリア３２を構成する。
【００２８】
移動通信装置２０は、他の位置登録エリアから位置登録エリア３０へ移動した際に、基地局５０に対して位置登録要求信号を送信する。基地局５０は、移動通信装置２０から送信された位置登録要求信号を位置登録処理装置６０へ送信する。
【００２９】
また、移動通信装置２０は、位置登録エリア３０から位置登録エリア３１へ移動した際に、基地局５１に対して位置登録要求信号を送信する。基地局５１は、移動通信装置２０から送信された位置登録要求信号を位置登録処理装置６０へ送信する。この時、基地局５０もしくは５１は、移動通信装置２０が位置登録エリア３０から位置登録エリア３１へ移動したことに伴い、移動通信装置２０に対応付けられている位置登録エリア３０の情報を削除するように削除信号を位置登録処理装置６０へ送信してもよい。削除信号には、移動通信装置２０、つまり、位置登録エリア３０から位置登録エリア３１へ移動した移動通信装置の識別子が含まれる。
【００３０】
本図のように在圏時間管理装置１０が位置登録処理装置６０に備えられることにより、在圏時間管理装置１０は、基地局５０を介して移動通信装置２０から送信される位置登録要求等を受信することができるため、位置登録要求信号と更新信号とを受信したタイミングの差分を算出することができる。
【００３１】
続いて、図３を用いて本発明の実施の形態１にかかる在圏時間管理装置１０の詳細な構成例について説明する。在圏時間管理装置１０は、通信部１１と、在圏時間算出部１２と、統計情報生成部１３とを備えている。在圏時間算出部１２は、在圏情報管理制御部１０１と、在圏情報登録処理部１０２と、在圏情報削除処理部１０３と、在圏情報管理データベース（ＤＢ）１０４とを有している。統計情報生成部１３は、統計情報制御部１０５と、統計情報更新処理部１０６と、統計情報処理部１０７と、統計情報管理ＤＢ１０８とを有している。さらに、在圏時間管理装置１０は、基地局５０及び保守装置７０とデータの送受信を行う。
【００３２】
はじめに、在圏時間算出部１２の構成要素について説明を行う。在圏情報管理制御部１０１は、通信部１１から出力される信号の中から位置登録要求信号及び削除信号を抽出する。在圏情報管理制御部１０１は、位置等登録要求信号を抽出すると、抽出した位置登録要求信号を在圏情報登録処理部１０２へ出力する。在圏情報登録処理部１０２は、在圏情報管理ＤＢ１０４に対して、位置登録要求を送信した移動通信装置と、位置登録要求に設定されている位置登録エリアと、通信部１１もしくは在圏情報管理制御部１０１において位置登録要求信号を受信した時刻情報とを対応付けて記憶させる。
【００３３】
在圏情報管理制御部１０１は、削除信号を抽出すると、抽出した削除信号を在圏情報削除処理部１０３へ出力する。在圏情報削除処理部１０３は、在圏情報管理ＤＢ１０４に対して、削除信号に含まれる移動通信装置の識別子に対応付けられている位置登録エリアを在圏情報管理ＤＢ１０４から削除させる。この時、在圏情報削除処理部１０３は、削除した位置登録エリアに関する情報に対応付けて記憶されていた時刻情報と、通信部１１もしくは在圏情報管理制御部１０１において削除信号を受信した時刻情報とを在圏情報管理制御部１０１へ出力する。
【００３４】
在圏情報管理制御部１０１は、在圏情報削除処理部１０３から出力された時刻情報に基づいて、位置登録エリアを削除した移動通信装置が、移動する前の位置登録エリアに在圏していた時間を算出する。在圏情報管理制御部１０１は、算出した在圏時間情報を統計情報制御部１０５へ出力する。さらに、在圏情報管理制御部１０１は、位置登録要求信号もしくは削除信号を抽出した際に、統計情報制御部１０５に対して、抽出した信号を出力する。もしくは、在圏情報管理制御部１０１は、位置登録要求信号もしくは削除信号を抽出した際に、統計情報制御部１０５に対して、位置登録要求信号もしくは削除信号を抽出したことを示す情報を出力してもよい。
【００３５】
統計情報制御部１０５は、在圏情報管理制御部１０１から出力された位置登録要求信号、削除信号及び在圏時間情報を統計情報更新処理部１０６へ出力する。統計情報更新処理部１０６は、統計情報制御部１０５から出力された在圏時間情報を、統計情報管理ＤＢ１０８へ出力する。ここで、統計情報管理ＤＢ１０８は、出力された在圏時間情報を分類して、統計情報を生成する。例えば、在圏時間の分類パターンとして、在圏時間が０秒以上３０秒未満のパターンと、３０秒以上１分未満のパターンと、１分以上のパターンとを設定する。統計情報更新処理部１０６から出力された在圏時間情報が４５秒である場合、３０秒以上１分未満のパターンのカウンタをアップさせる。このようにして、統計情報更新処理部１０６から出力された在圏時間情報に基づいて、それぞれのパターンのカウンタをアップさせることにより、例えば位置登録エリア３０に在圏していた移動通信装置の在圏時間の統計情報を生成する。
【００３６】
さらに、統計情報更新処理部１０６は、統計情報制御部１０５から位置登録要求信号を受け取った場合、統計情報管理ＤＢ１０８において管理されている位置登録要求数のカウンタをアップさせる。統計情報更新処理部１０６は、統計情報制御部１０５から削除信号を受け取った場合、統計情報管理ＤＢ１０８において管理されている位置登録削除要求数のカウンタをアップさせる。これにより、それぞれの位置登録エリアにおける位置登録要求数と、位置登録削除要求数に関する統計情報を生成する。
【００３７】
統計情報処理部１０７は、保守装置７０から指定された位置登録エリアに関する統計情報を、統計情報制御部１０５を介して保守装置７０へ出力する。ここで、統計情報処理部１０７から保守装置７０へ出力される統計情報の例を、図４を用いて説明する。
【００３８】
図４には、位置登録エリア３０における統計情報の例が記載されている。図４の統計情報は、定められた時刻ごとに、その時刻における位置登録エリア３０における在圏数、位置等登録要求数、位置登録削除要求数が示されている。在圏数は、位置登録エリアが対応づけられている移動通信装置の数を数えることにより算出される。位置登録要求数は、在圏情報管理制御部１０１から出力された位置登録要求信号の数を数えることにより算出される。位置登録削除要求数は、在圏情報管理制御部１０１から出力された削除信号の数を数えることにより算出される。
【００３９】
さらに、図４の統計情報は、在圏時間が０秒以上３０秒未満のパターンと、３０秒以上１分未満のパターンと、１分以上のパターンとが設定されている。それぞれのパターンには、統計情報更新処理部１０６から統計情報管理ＤＢ１０８へ出力された在圏時間情報に基づいて更新されたカウンタ値が示されている。つまり、統計情報更新処理部１０６から統計情報管理ＤＢ１０８へ出力された在圏時間が該当するパターンのカウンタをアップさせる。
【００４０】
このような統計情報を確認することにより、位置登録エリア３０を短時間で通過した移動通信装置の数を把握することができる。つまり、通常の歩行速度で移動した場合に、位置登録エリア３０を通過する時間として最大３０秒程度と見積もっている場合、在圏時間が０秒以上３０秒未満のパターンのカウンタ値を確認することにより、短時間で位置登録エリア３０を通過した移動通信装置の数を把握することができる。
【００４１】
続いて、図５を用いて在圏時間管理装置１０における統計情報生成処理の流れについて説明する。はじめに、在圏情報管理制御部１０１は、通信部１１を介して移動通信装置２０から送信された位置登録要求信号を受信する（Ｓ１１）。具体的には、位置登録要求信号には位置登録エリア３０に移動通信装置２０が移動したことが示されている。次に、在圏情報登録処理部１０２は、位置登録要求信号を受信した時刻情報を抽出し、在圏情報管理ＤＢ１０４へ記憶する（Ｓ１２）。次に、在圏情報管理制御部１０１は、通信部１１を介して移動通信装置２０の識別子を含む削除信号を受信する（Ｓ１３）。具体的には、削除信号には、移動通信装置２０が、位置登録エリア３０から位置登録エリア３１へ移動したことが示されている。次に、在圏情報削除処理部１０３は、削除信号を受信した時刻情報を抽出し、抽出した時刻情報と在圏情報管理ＤＢ１０４から削除信号に含まれる移動通信装置の位置登録要求信号を受信した時刻情報とを在圏情報管理制御部１０１へ出力する（Ｓ１４）。在圏情報管理制御部１０１は、在圏情報削除処理部１０３から出力された位置登録要求信号を受信した時刻情報と、削除信号を受信した時刻情報とに基づいて移動通信装置２０が位置登録エリア３０７に在圏していた在圏時間を算出する（Ｓ１５）。次に、統計情報更新処理部１０６は、在圏時間が０秒以上３０秒未満のパターンか、３０秒以上１分未満のパターンか、１分以上のパターンかを判定し（Ｓ１６）、分類を行う（Ｓ１７〜Ｓ１９）。
【００４２】
以上説明したように、本発明の実施の形態１にかかる在圏時間管理装置を用いることにより、移動通信装置が位置登録エリアに在圏していた在圏時間情報を、移動通信システム内において送受信されている位置登録要求信号及び削除信号等を用いて算出することができる。また、移動通信システムのコアネットワーク側に配置されているサーバ装置等によって在圏時間の算出を行うことにより、移動通信装置において在圏時間の算出を行う場合と比較して、他の機能へ与える影響を抑えることができる。
【００４３】
さらに、在圏時間のパターンを判定し、統計情報を生成することにより、移動通信システムの管理者等は、ある位置登録エリアにおける在圏パターンを把握することができる。つまり、位置登録エリアにおける移動通信装置の在圏パターンを把握することにより位置登録エリアを短時間で通過するだけの移動通信装置の数等を把握してネットワーク設計に反映させることができる。
【００４４】
（実施の形態２）
続いて、図６を用いて本発明の実施の形態２にかかる移動通信システムの全体構成例について説明する。本図における移動通信システムは、基地局５０〜５２と、中継装置８０と、位置登録処理装置９０とから構成されている。在圏時間管理装置１０は、中継装置８０に備えられている。さらに、基地局５０は、位置登録エリア３０を構成し、基地局５１は、位置登録エリア３１を構成し、基地局５２は、位置登録エリア３２を構成する。中継装置８０は、基地局５０〜５２からの送信される信号を集約して、位置登録処理装置９０へ集約した信号を送信する。
【００４５】
移動通信装置２０は、他の位置登録エリアから位置登録エリア３０へ移動した際に、基地局５０に対して位置登録要求信号を送信する。基地局５０は、移動通信装置２０から送信された位置登録要求信号を中継装置８０へ送信する。
【００４６】
また、移動通信装置２０は、位置登録エリア３０から位置登録エリア３１へ移動した際に、基地局５１に対して位置登録要求信号を送信する。基地局５１は、移動通信装置２０から送信された位置登録要求信号を中継装置８０へ送信する。この時、基地局５０もしくは５１は、移動通信装置２０が位置登録エリア３０から位置登録エリア３１へ移動したことに伴い、移動通信装置２０に対応付けられている位置登録エリア３０の情報を削除させるために削除信号を中継装置８０へ送信してもよい。削除信号には、移動通信装置２０、つまり、位置登録エリア３０から位置登録エリア３１へ移動した移動通信装置の識別子が含まれる。
【００４７】
中継装置８０は、基地局５０〜５２から送信された位置登録要求信号もしくは削除信号を位置登録処理装置９０へ送信する。位置登録処理装置９０は、位置登録要求信号及び削除信号を受け取ると、移動通信装置２０と移動通信装置２０が在圏している位置登録エリアとを対応付けた情報を記憶し、もしくは移動通信装置２０が在圏している位置登録エリアを更新して記憶する。
【００４８】
また、中継装置８０は、位置登録処理装置９０から送信された移動通信装置２０と移動通信装置２０に対応付けられた位置登録エリアとに関する情報を保持するようにしてもよい。この場合、中継装置８０は、移動通信装置２０が在圏する位置登録エリアが変更された場合、位置登録処理装置９０から送信された削除信号に基づいて現在移動通信装置２０に対応付けられている位置登録エリアに関する情報を削除し、位置登録処理装置９０から送信された位置登録エリアに関する情報を新たに登録するようにしてもよい。
【００４９】
本図のように在圏時間管理装置１０が中継装置８０に備えられることにより、在圏時間管理装置１０は、基地局５０〜５２から位置登録処理装置９０へ送信される位置登録要求信号等を中継するために、位置登録要求信号等を受信することができる。そのため、在圏時間管理装置１０は、位置登録要求信号と更新信号とを受信したタイミングの差分を算出することができる。
【００５０】
（実施の形態３）
続いて、図７を用いて本発明の実施の形態３にかかる移動通信システムの構成例について説明する。本図においては、位置登録処理装置４０をＩＭＳ（IP Multimedia Subsystem）システムに適用する構成例について説明する。
【００５１】
本図における移動通信システムは、ＵＥ（User Equipment）２０１と、ＨＮＢ（Home NodeB）２０２と、ＨＮＢ−ＧＷ（Home NodeB-Gateway）２０３と、ＩＭＳコア２１０とから構成されている。また、ＩＭＳコア２１０は、Ｐ−ＣＳＣＦ（Proxy-Call Session Control Function）２１１と、Ｓ（Serving）−ＣＳＣＦ２１２と、Ｉ（Interrogating）−ＣＳＣＦ２１３と、ＨＳＳ（Home Subscriber Server）２１４と、ＳＬＦ（Subscriber Location Function）２１５と、ＢＧＣＦ（Break Gateway Control Function）２１６と、ＳＧＷ（Signaling Gateway）２１７と、ＭＧＣＦ（Media Gateway Controller Function）２１８と、ＭＧＷ（Media Gateway）２１９と、ＭＲＦＣ（Media Resource Function Controller）２２０と、ＭＲＦＰ（Media Resource Function Processor）２２１と、から構成されている。
【００５２】
ＵＥ２０１は、携帯電話等の通信端末である。ＨＮＢ２０２は、３Ｇシステムにおいて用いられるＦｅｍｔｏセル用基地局である。ＨＮＢ−ＧＷ２０３は、ＨＮＢとＩＭＳコア２１０との間に配置されるゲートウェイである。ＩＭＳコア２１０を構成するそれぞれの要素は、一般的にＩＭＳシステムにおいて用いられる装置であるため、それぞれの装置に関する詳細な説明を省略する。ＩＭＳシステムにおいて用いられる装置は、３ＧＰＰ  ＴＳ  ２３．２２８  Ｖ１１．３．０において詳細が記載されている。
【００５３】
ＨＳＳ２１４は、ＵＥ２０１の位置登録情報や加入者情報等を管理するデータベースである。また、Ｐ−ＣＳＣＦ２１１は、ＵＥが位置登録エリアを変更した場合や、通信を行う際に、ＩＭＳコア２１０内に送信される制御信号を受け付ける装置もしくは機能ブロックである。
【００５４】
ここで、実施の形態１おいて説明した在圏時間管理装置１０を備える位置登録処理装置６０をＩＭＳシステムに適用する場合、位置登録処理装置６０は、ＨＳＳ２１４に対応する。ＨＳＳ２１４は、ＵＥ２０１の位置登録エリア情報を管理するデータベースを備えているためである。また、保守装置７０は、ＨＳＳ２１４に直接接続されてもよく、Ｐ−ＣＳＣＦ２１１を介して、異なるネットワークから遠隔にて接続されてもよい。
【００５５】
また、実施の形態２において説明した在圏時間管理装置１０を備える中継装置８０をＩＭＳシステムに適用する場合、中継装置８０は、Ｐ−ＣＳＣＦ２１１に対応する。Ｐ−ＣＳＣＦ２１１は、ＨＳＳ２１４においてマスターレコードとして管理されているＵＥ２０１の位置登録情報をダウンロードし、テンポラリーレコードとして管理する。この場合、Ｐ−ＣＳＣＦ２１１は、テンポラリーレコードを用いて、ＵＥ２０１の在圏時間情報管理及びそれぞれの位置登録エリアにおける統計情報を生成する。もしくは、実施の形態２において説明した在圏時間管理装置１０を備える中継装置８０をＩＭＳシステムに適用する場合、中継装置８０は、Ｓ−ＣＳＣＦ２１２に対応するようにしてもよい。
【００５６】
以上説明したように、在圏時間管理装置１０を、ＩＭＳシステムに適用することにより、ＩＭＳシステムを用いた移動通信システムにおいても、在圏時間情報を収集し、さらに統計情報を生成することができる。
【００５７】
上述の実施の形態では、本発明をハードウェアの構成として説明したが、本発明は、これに限定されるものではない。本発明は、図５における在圏時間管理装置１０の処理を、ＣＰＵ（Central Processing Unit）にコンピュータプログラムを実行させることにより実現することも可能である。）
【００５８】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００５９】
なお、本発明は上記実施の形態に限られたものではなく、趣旨を逸脱しない範囲で適宜変更することが可能である。
【符号の説明】
【００６０】
１０  在圏時間管理装置
１１  通信部
１２  在圏時間算出部
１３  統計情報生成部
２０  移動通信装置
３０  位置登録エリア
３１  位置登録エリア
３２  位置登録エリア
５０〜５２  基地局
６０  位置登録処理装置
７０  保守装置
８０  中継装置
９０  位置登録処理装置
１０１  在圏情報管理制御部
１０２  在圏情報登録処理部
１０３  在圏情報削除処理部
１０４  在圏情報管理ＤＢ
１０５  統計情報制御部
１０６  統計情報更新処理部
１０７  統計情報処理部
１０８  統計情報管理ＤＢ
２０１  ＵＥ
２０２  ＨＮＢ
２０３  ＨＮＢ−ＧＷ
２１０  ＩＭＳコア
２１１  Ｐ−ＣＳＣＦ
２１２  Ｓ−ＣＳＣＦ
２１３  Ｉ−ＣＳＣＦ
２１４  ＨＳＳ
２１５  ＳＬＦ
２１６  ＢＧＣＦ
２１７  ＳＧＷ
２１８  ＭＧＣＦ
２１９  ＭＧＷ
２２０  ＭＲＦＣ
２２１  ＭＲＦＰ
【図１】
0005857763.tif 000002
【図２】
0005857763.tif 000003
【図３】
0005857763.tif 000004
【図４】
0005857763.tif 000005
【図５】
0005857763.tif 000006
【図６】
0005857763.tif 000007
【図７】
0005857763.tif 000008